(57)【要約】【課題】  ごみ収集場などで回収されるまでの間、高い気密性がなくても人体に有害となることなく、生ごみの臭いを防ぎ、かつ、カビなどの浮遊菌を除菌して衛生的に生ごみを保管することができる生ごみ保管器を提供する。【解決手段】  生ごみを保管する保管室２と、この保管室の開口５を開閉する蓋６と、除菌や臭いの分解作用を有する液体を貯留するバブリングタンク７と、このタンク７内の液中に空気を供給して泡を発生させる泡発生手段（フィルタ８やエアポンプ１２）と、発生した泡が液面で弾けるときに発生するミストを保管室内に供給するミスト供給口９とを備えた。【選択図】        図１
2006103821.tif 000002
【特許請求の範囲】
【請求項１】
生ごみを保管する保管室と、この保管室の開口を開閉する蓋と、除菌や臭いの分解作用を有する液体を貯留する貯留タンクと、この貯留タンク内の液中に空気を供給して泡を発生させる泡発生手段と、発生した泡が液面で弾けるときに発生するミストを前記保管室内に供給するミスト供給部とを備えたことを特徴とする生ごみ保管器。
【請求項２】
前記貯留タンクに貯留する液体に次亜塩素酸成分を含んだものを用いることを特徴とする請求項１に記載の生ごみ保管器。
【請求項３】
前記次亜塩素酸成分を含んだ液体として、水道水を電気分解して得られる電解水を用いることを特徴とする請求項２に記載の生ごみ保管器。
【請求項４】
前記次亜塩素酸成分を含んだ液体として、塩水を電気分解して得られる電解水を用いることを特徴とする請求項２に記載の生ごみ保管器。
【請求項５】
前記貯留タンクに貯留する液体にオゾン成分を含んだものを用いることを特徴とする請求項１に記載の生ごみ保管器。
【請求項６】
前記オゾン成分を含んだ液体として、水道水を電気分解して得られる電解水を用いることを特徴とする請求項５に記載の生ごみ保管器。
【請求項７】
前記泡発生手段によって前記貯留タンク内の液中に供給する空気を前記保管室内の空気とすることを特徴とする請求項１〜請求項６のうちいずれか１つに記載の生ごみ保管器。
【請求項８】
水道水または塩水を補給する補給タンクと、この補給タンクからの水道水または塩水を電気分解する電解槽とを備え、この電解槽から得られる電解水を前記貯留タンクに補給する構成とすることを特徴とする請求項１〜請求項７のうちいずれか１つに記載の生ごみ保管器。
【請求項９】
前記保管室内に、生ごみを収納するメッシュ状の生ごみ収納部を配置すると共に、その下方に前記貯留タンクを配置することを特徴とする請求項１〜請求項８のうちいずれか１つに記載の生ごみ保管器。
【発明の詳細な説明】
【技術分野】
【０００１】
本発明は、主に家庭の生ごみを生ごみ収集日にごみ収集場などに排出するまで保管する生ごみ保管器に関するものである。
【背景技術】
【０００２】
従来、家庭の生ごみは、通常ごみ箱などに一時保管して、限られた生ごみ収集日にごみ収集場などに排出していたが、保管中に生ごみにカビなどの菌が発生して、ごみ箱の蓋を開ける度に嫌な生ごみ臭がしたり、生ごみ収集日に生ごみをごみ箱から出すときに生ごみ臭がしたりして、不快に感じる場合が多かった。特にマンションなどではエレベータ内で臭いがこもり、他の人まで不快にさせたりしていた。なお、ごみ箱内の生ごみに除菌や脱臭用のスプレー水を吹きかけることも行われているが、生ごみの隅々まで除菌や脱臭作用を得るには、比較的大きな水滴であるスプレー水を十分に吹きかけないとならないので、元々水気の多い生ごみが更に湿ってベトベトした扱いにくい状態になる。
【０００３】
また、これらの問題を解決するためにオゾンを利用したもの、例えば特許文献１に記載のように、上面が開口した容器を内部に収納した外箱の直上に、一端が外箱に連結された扉を設け前記扉に前記容器に向けて各々開口する吸気口および排気口を連通した空気通路を設け、前記空気通路内に前記吸気口側から順次、オゾン分解触媒、ファン、オゾナイザを設置し、容器の内部に、吸水膜層を形成した収納袋を着脱自在に装着したごみ収納器が提案されている。
【０００４】
かかる構成により、容器内の高湿化を抑え、安定したオゾン発生により腐敗と臭気を防止し、かつ収納袋からの汚水落下を防止できるとしている。
【特許文献１】特開平５−１３２１０４号公報
【発明の開示】
【発明が解決しようとする課題】
【０００５】
しかしながら、上記のようなオゾンを利用したものでは、オゾンを気体の状態で用いているので、蓋を開けたときなどに中に籠もったオゾンが拡散するが、オゾン濃度が濃いと人体に有害となり、逆に薄いと脱臭効果や除菌効果が劣り、濃度管理が難しいといった課題があった。また、蓋を閉めた状態でもオゾンが漏れると人体に有害となるので、高い気密性が要求され、その分コスト高となる。
【０００６】
本発明はかかる課題を解決するためになされたもので、ごみ収集場などで回収されるまでの間、高い気密性がなくても人体に有害となることなく、生ごみの臭いを防ぎ、かつ、カビなどの浮遊菌を除菌して衛生的に生ごみを保管することができる生ごみ保管器を提供することを目的とするものである。
【課題を解決するための手段】
【０００７】
そこで、本発明は、生ごみを保管する保管室と、この保管室の開口を開閉する蓋と、除菌や臭いの分解作用を有する液体を貯留する貯留タンクと、この貯留タンク内の液中に空気を供給して泡を発生させる泡発生手段と、発生した泡が液面で弾けるときに発生するミスト（μサイズからｎサイズの微細な液滴）を前記保管室内に供給するミスト供給部とを備えたことを特徴とするものである。
【０００８】
また、前記貯留タンクに貯留する液体に次亜塩素酸成分を含んだものを用いることを特徴とするものである。
【０００９】
具体的には、前記次亜塩素酸成分を含んだ液体として、水道水を電気分解して得られる電解水を用いることを特徴とするものである。
【００１０】
また、前記次亜塩素酸成分を含んだ液体として、塩水を電気分解して得られる電解水を用いることを特徴とするものである。
【００１１】
また、前記貯留タンクに貯留する液体にオゾン成分を含んだものを用いることを特徴とするものである。
【００１２】
具体的には、前記オゾン成分を含んだ液体として、水道水を電気分解して得られる電解水を用いることを特徴とするものである。
【００１３】
さらに、前記泡発生手段によって前記貯留タンク内に供給する空気を前記保管室内の空気とすることを特徴とするものである。
【００１４】
また、水道水または塩水を補給する補給タンクと、この補給タンクからの水道水または塩水を電気分解する電解槽とを備え、この電解槽から得られる電解水を前記貯留タンクに補給する構成とすることを特徴とするものである。
【００１５】
また、前記保管室内に、生ごみを収納するメッシュ状の生ごみ収納部を配置すると共に、その下方に前記貯留タンクを配置することを特徴とするものである。
【発明の効果】
【００１６】
本発明によれば、除菌や臭いの分解作用を有する液体を比較的簡単に泡（バブル）を発生できるバブリングによってミスト化し、生ごみに隈無く噴霧することにより、生ごみの除菌や脱臭をその場で効率良く行うことができるので、ごみ収集場などで回収されるまでの間、気体ではなくミスト（液滴）のため高い気密性がなくても人体に有害となることなく、生ごみの臭いを防ぎ、かつ、カビなどの浮遊菌を除菌して衛生的に生ごみを保管することができる。
【００１７】
また、貯留タンクに貯留する液体に次亜塩素酸成分を含んだものを用いることで、消毒用の塩素が残留する水道水やプールの消毒等によく使われる次亜塩素酸ナトリウムなどを使って比較的簡単に、ごみ収集場などで回収されるまでの間、気体ではなくミストのため高い気密性がなくても人体に有害となることなく、生ごみの臭いを防ぎ、かつ、カビなどの浮遊菌を除菌して衛生的に生ごみを保管することが実現できる。
【００１８】
具体的には、次亜塩素酸成分を含んだ液体として、水道水を電気分解して得られる電解水を用いることで、一般家庭でも簡単に使用できる。
【００１９】
また、次亜塩素酸成分を含んだ液体として、塩を溶かした塩水を電気分解して得られる電解水を用いることによっても、一般家庭で簡単に使用できる。
【００２０】
また、貯留タンクに貯留する液体にオゾン成分を含んだものを用いることにより、オゾンを気体としてではなく液体として利用するので、高い気密性がなくても人体に有害となることなく、生ごみの臭いを防ぎ、かつ、カビなどの浮遊菌を除菌して衛生的に生ごみを保管することができる。
【００２１】
具体的には、オゾン成分を含んだ液体として、水道水を電気分解して得られる電解水を用いることにより、一般家庭でも比較的簡単に使用できる。
【００２２】
さらに、泡発生手段によって貯留タンク内に供給する空気を保管室内の空気とすることにより、保管室内の空気中に浮遊する臭い成分の分解や浮遊菌の除菌を直接効果的に行うことができ、かつ、バブリングにより発生するミストを生ごみの保管室に噴霧することによって、保管室内の臭い成分の分解やカビ菌などの菌類の除菌をその場で効率良く行うことができので、２段階の脱臭、除菌の相乗作用で効果を格段に高めることができる。
【００２３】
また、水道水や塩水の補給タンクと電解槽とを備えて、電解槽から得られる電解水を貯留タンクに補給する構成とすることで、いつも新しい電解水で除菌や臭い分解性能を落とすことなく自動で長時間の生ごみ保管を実現することができる。
【００２４】
また、保管室内に、生ごみを収納するメッシュ状の生ごみ収納部を配置すると共に、その下方に貯留タンクを配置することで、臭い成分を含んだ水分を生ごみから分離することにより生ごみから発生する臭いを軽減することができ、また分離された水分が落下して真下の貯留タンクに貯められた、除菌・臭い成分分解作用を持った液体と反応して除菌、分解されて無臭となり、さらに生ごみと貯留タンクが近くなり、バブリングによって発生したミストが効率よく生ごみに接触することができる。
【発明を実施するための最良の形態】
【００２５】
図１は、本発明による生ごみ保管器の一実施形態を示す内部構成図であり、白抜き矢印は空気の流れを示している。
【００２６】
この生ごみ保管器は、外郭を形成する本体１内に生ごみＲを保管する保管室２が形成されており、この保管室２内には生ごみＲを入れる通常のごみ袋３を口を開けた状態にセットするカゴ４が設けられている。ごみ袋３は生ごみＲが一杯になるとカゴ４から外されて生ごみＲを入れたまま生ごみＲと共に廃棄され、新しいごみ袋３に交換される。また、保管室２の上部開口５には、ミストや外気の出入りを防ぐための開閉可能な蓋６が設けられている。なお、これらの開口５と蓋６には、気体のオゾンを用いた前述の従来技術のような高い気密性は要求されず、低コストの比較的簡単な構成で十分である。
【００２７】
上記保管室２と本体１側壁との間には、一方（図では右側）に除菌や臭いの分解作用を有する液体Ｌを貯留する貯留タンクとしてのバブリングタンク７が設けられており、その底部には泡（バブル）発生用のフィルタ８が配置され、上部は保管室２の側壁上部に形成されたミスト供給口９を介して保管室２内と連通している。また、他方（図の左側）には、上記ミスト供給口９とは反対側の保管室２側壁上部に形成された吸気口１０からエアホース１１を介して保管室２内の空気を吸引するエアポンプ１２が配置されており、吸引した空気はエアホース１３を介して前記バブリングタンク７のフィルタ８側に供給されるように構成されている。上記フィルタ８とエアポンプ１２等により本発明の泡発生手段（バブリング機構）が構成されている。なお、このようなバブリング機構は、泡が細かいほど（フィルタ８の目が細かいほど）細かなミストを発生することができるが、水槽などで通常用いられているようなものでも泡が弾けるときには十分に細かいミストが発生するので、比較的簡単な構成で実現できる。
【００２８】
以上の構成において、保管室２内の生ごみＲから発せられる臭いや保管室２内に生ごみＲと共に持ち込まれた浮遊菌を含んだ空気を、エアポンプ１２によって吸気口１０からエアホース１１，１２を経てフィルタ８よりバブリングタンク７に導き、バブリングタンク７内で泡Ｂを発生する。バブリングタンク７内には除菌や臭い成分の分解作用を持った液体（バブリング液）Ｌ、例えば、次亜塩素酸成分を含んだ電解水を貯めておき、電解水内でバブリングすることによって、取り込まれた空気内に含まれる臭い成分や浮遊菌を電解水に接触させたり、溶解させることによって、臭い成分の分解や浮遊菌の除菌を直接効果的に行うことができる。
【００２９】
さらに、電解水内でバブリングされてきれいになった空気は、バブリングで発生した泡Ｂが弾けるときに発生するμサイズからｎサイズのミスト（微細な液滴）と共にミスト供給口９から保管室２内に噴霧される。保管室２内に噴霧されたミストは、空気と共に保管室２内の隅々まで隈無く行き渡って、生ごみＲから発生される臭い成分や保管室２内に侵入した菌に接触することによって、臭いの分解や除菌をその場で効率良く行うことができる。また、μサイズからｎサイズのミストで、ほんの僅かな水量で生ごみＲの隅々まで隈無く行き渡るので、生ごみＲに付着しても従来のスプレー水のようにベトベタした状態になることもない。
【００３０】
以上のように、本実施形態によれば、保管室２内の空気を用いて電解水内でバブリングを行うことによって保管室２内の空気中に浮遊する臭い成分の分解や浮遊菌の除菌を直接効果的に行い、かつ、バブリングにより発生するミストを生ごみの保管室２に噴霧することによって、保管室２内の臭い成分の分解やカビ菌などの菌類の除菌をその場で効率良く行うことができ、２段階の脱臭、除菌の相乗作用で効果を格段に高めることができる。
【００３１】
従って、ごみ収集場などで回収されるまでの間、気体ではなくミスト（液滴）のため高い気密性がなくても人体に有害となることなく、生ごみの臭いを防ぎ、かつ、カビなどの浮遊菌を除菌して衛生的に生ごみを保管することができる。
【００３２】
また、バブリングタンク７に貯留する液体に次亜塩素酸成分を含んだものを用いることで、消毒用の塩素が残留する水道水やプールの消毒等によく使われる次亜塩素酸ナトリウムなどを使って比較的簡単に、ごみ収集場などで回収されるまでの間、気体ではなくミストのため高い気密性がなくても人体に有害となることなく、生ごみの臭いを防ぎ、かつ、カビなどの浮遊菌を除菌して衛生的に生ごみを保管することが実現できる。
【００３３】
具体的には、上述したような次亜塩素酸成分を含んだ液体として、水道水を電気分解して得られる電解水を用いることで、一般家庭でも簡単に使用できる。
【００３４】
また、次亜塩素酸成分を含んだ液体として、塩を溶かした塩水を電気分解して得られる電解水を用いることによっても、一般家庭で簡単に使用できる。
【００３５】
図２は、本発明による生ごみ保管器の他の実施形態を示す内部構成図であり、前記実施形態と同一符号は同一又は相当部分を示している。
【００３６】
基本的には前記図１の構成と同様であるが、生ごみＲを収納する生ごみ収納部としてメッシュ状のネット（又はカゴ）１４を用いている点と、その下方にバブリングタンク７を配置している点が、前記実施形態と異なる。
【００３７】
生ごみ収納部にメッシュ状のネット（又はカゴ）１４を使用し、その下方にバブリングタンク７を設けているメリットとしては、１つ目が臭い成分を含んだ水分を生ごみＲから分離することにより生ごみＲから発生する臭いを軽減することができる。２つ目は、分離された水分が落下して真下のバブリングタンク７に貯められた、除菌・臭い成分分解作用を持った液体（バブリング液）Ｌ、例えば次亜塩素酸やオゾン成分を含んだ水と反応して除菌、分解されて無臭となる点が挙げられる。また、３つ目の効果としては生ごみＲとバブリングタンク７が近くなり、バブリングによって発生したミストが効率よく生ごみＲに接触することが挙げられる。
【００３８】
図３は、本発明による生ごみ保管器の更に他の実施形態を示す内部構成図であり、前記実施形態と同一符号は同一又は相当部分を示している。
【００３９】
基本的には前記図２の構成と同様であるが、追加機能としてバブリングタンク７に新しいバブリング液Ｌを供給し、古くなったバブリング液Ｌを排出する機能を持たせ、バブリング液Ｌの除菌・臭い分解作用を自動的に長時間維持することを実現している。
【００４０】
図３の図中左側上部に配置された補給タンク１５には水道水や塩水が貯められており、送液ホース１６を経て下側の電解槽１７に供給している。電解槽１７では図示しない電極による電気分解が行われ、電極の種類により水道水または塩水から次亜塩素酸を含んだ電解水や水道水からオゾン成分を含んだ電解水が生成され、送液ホース１８を経てバブリング液Ｌとしてバブリングタンク７に供給される。バブリングタンク７ではバブリングにより除菌や臭い成分の分解、生ごみＲから滴下して分離された臭い成分を含んだ水の分解により消費されて古くなったバブリング液Ｌを排水口１９から保管器外へ排出している。この機能により、いつも新しいバブリング液Ｌで除菌・臭い分解性能を落とすことなく自動で長時間の生ごみ保管を実現することができる。
【００４１】
なお、バブリングタンク７に貯留する液体に上述したようなオゾン成分を含んだものを用いることにより、オゾンを気体としてではなく液体として利用するので、高い気密性がなくても人体に有害となることなく、生ごみの臭いを防ぎ、かつ、カビなどの浮遊菌を除菌して衛生的に生ごみを保管することができる。
【００４２】
具体的には、オゾン成分を含んだ液体として、上述したように水道水を電気分解して得られる電解水を用いることにより、一般家庭でも比較的簡単に使用できる。
【００４３】
以上、各実施形態を説明したが、上記各実施形態に生ごみＲの攪拌機能を加えてミストとの接触効率を上げて、脱臭、除菌の能力を向上したり、蓋６が開けられるとバブリングの運転を止めてミストの器外への飛散防止を行って安全性を更に向上させてもよい。
【図面の簡単な説明】
【００４４】
【図１】本発明による生ごみ保管器の一実施形態を示す内部構成図である。
【図２】本発明による生ごみ保管器の他の実施形態を示す内部構成図である。
【図３】本発明による生ごみ保管器の更に他の実施形態を示す内部構成図である。
【符号の説明】
【００４５】
１    本体
２    保管室
３    ごみ袋
５    開口
６    蓋
７    バブリングタンク
８    フィルタ
９    ミスト供給口
１０  吸気口
１２  エアポンプ
１４  メッシュ状のネット（又はカゴ）
１５  補給タンク
１７  電解槽
【図１】
2006103821.tif 000003
【図２】
2006103821.tif 000004
【図３】
2006103821.tif 000005